(57)【特許請求の範囲】
【請求項１】
先端工具が設けられる作業工具の工具本体に取付けられる固定部と、当該固定部に取付けられ、前記先端工具を長軸方向の所定範囲にわたって覆う集塵フードとを備えた集塵装置であって、
前記集塵フードは、基端部が前記固定部に取り付けられるとともに、前記集塵フードの基端部と先端部の間において、前記先端工具長軸方向に関して所定の間隔で形成された複数の取付箇所を有し、
前記固定部に設けられ、前記固定部に対する前記集塵フードの取付状態を維持するロック機構をさらに有し、
前記ロック機構は、前記固定部の先端部よりも前記先端工具の先端側に配置されて前記複数の取付箇所のうち選択された取付箇所に係合可能な係合部を有し、
前記集塵フードは、前記複数の取付箇所のうち任意の取付箇所を選択することにより前記工具本体からの前記先端工具長軸方向の突出長さが可変とされていることを特徴とする集塵装置。
【請求項２】
請求項１に記載の集塵装置であって、
前記集塵フードは、前記先端工具長軸方向への弾性変形が可能な弾性領域を有し、前記取付箇所の選択は、前記弾性領域の弾性変形を利用して行われることを特徴とする集塵装置。
【請求項３】
請求項２に記載の集塵装置であって、
前記弾性領域は、蛇腹によって構成されていることを特徴とする集塵装置。
【請求項４】
請求項１に記載の集塵装置であって、
前記集塵フードは、前記先端工具長軸方向の長さを維持した状態で取付箇所の選択が可能とされていることを特徴とする集塵装置。
【請求項５】
請求項１〜４のいずれか１つに記載の集塵装置を有することを特徴とする作業工具。
【発明の詳細な説明】
【技術分野】
【０００１】
本発明は、作業工具が加工作業を遂行する際に生じた粉塵を集塵するための集塵装置に関する。
【背景技術】
【０００２】
特開２００７−３０３２７１号公報（特許文献１）は、ハンマドリルの先端部に先端工具としてのビットの周りを取り囲むように筒状のフードを配置し、加工作業により生じた粉塵を当該フードの先端開口から吸引して集塵する集塵装置を開示している。
【０００３】
上述した従来の集塵装置の場合、フード先端部がハンマドリルの本体部の一定位置に固定されている。このため、例えば通常使用しているビットよりも長いビットを用いて加工作業をした場合には、粉塵発生部位とフード先端部との距離が離れ、集塵効率が低下することになる。
【先行技術文献】
【特許文献】
【０００４】
【特許文献１】特開２００７−３０３２７１号公報
【発明の概要】
【発明が解決しようとする課題】
【０００５】
本発明は、上記に鑑みてなされたものであり、作業工具に長さの異なる先端工具を付け替えて加工作業を遂行する場合に、作業工具に装着される先端工具の長さに対応できるように改良された集塵装置を提供することをその目的とする。
【課題を解決するための手段】
【０００６】
上記課題を達成するため、本発明の好ましい形態によれば、先端工具が設けられる作業工具の工具本体に取付けられる固定部と、当該固定部に取付けられ、前記先端工具を長軸方向の所定範囲にわたって覆う集塵フードとを備えた集塵装置が構成される。なお、集塵装置が適用される「作業工具」としては、典型的にはハツリ作業に用いられる電動ハンマあるいはハンマドリル、穴開け作業に用いられるハンマドリルあるいは電気ドリル等がこれに該当する。また、本発明における「先端工具を長軸方向の所定範囲にわたって覆う」とは、例えば作業工具がハツリ作業に用いられる電動ハンマやハンマドリルの場合であれば、集塵フードが、先端工具の先端がハツリ作業に必要な長さで集塵フード先端から露出するように当該先端工具を覆う態様がこれに該当し、また作業工具が穴開け作業に用いられるハンマドリルや電気ドリルの場合であれば、集塵フードが、先端工具を先端をも含む全長にわたって覆う態様がこれに該当する。
【０００７】
本発明の好ましい形態は、特徴的構成として、集塵フードは、基端部が固定部に取り付けられるとともに、集塵フードの基端部と先端部の間において先端工具長軸方向に関して所定の間隔で形成された複数の取付箇所を有する。さらに、固定部に設けられ、固定部に対する集塵フードの取付状態を維持するロック機構を有する。当該ロック機構は、固定部の先端部よりも先端工具の先端側に配置されて複数の取付箇所のうち選択された取付箇所に係合可能な係合部を有する。そして集塵フードは、複数の取付箇所のうち任意の取付箇所を選択することにより工具本体からの先端工具長軸方向の突出長さが可変とされている。
本発明によれば、集塵フードにつき、先端工具長軸方向に関して所定の間隔で形成された複数の取付箇所のうち任意の取付箇所を選択して固定部に取付けることにより、工具本体からの先端工具長軸方向の突出長さを使用する先端工具の長さに対応させることができる。このため、加工作業により生じた粉塵を効率的に集塵することが可能となる。さらに、ロック機構によって固定部に対する集塵フードの取付状態を維持できるため、加工作業中に不測に工具本体からの集塵フードの突出長さが変化したり、集塵フードが固定部から脱落したりすることを防止できる。
【０００８】
本発明の更なる形態では、集塵フードは、先端工具長軸方向への弾性変形が可能な弾性領域を有する。そして取付箇所の選択は、弾性領域の弾性変形を利用して行われる構成とした。
本発明によれば、弾性変形を利用して取付箇所を選択できる構成のため、取付箇所を容易に変更できる。なお、弾性変形が可能な弾性領域については、例えば蛇腹を構成する折り畳み構造の伸縮部分によって構成されることが好ましい。
【０００９】
本発明の更なる形態によれば、集塵フードは、先端工具長軸方向の長さを維持した状態で取付箇所の選択が可能とされている。このような構成は、典型的には集塵フードが固定部に対して長軸方向に摺動自在に取付けられ、当該摺動動作により取付箇所が選択可能とされることで具現化することができる。なお、本発明における「長軸方向の長さを維持した状態」とは、長軸方向の長さが変化しない状態がこれに該当し、具体的には剛体によって形成される。
【００１０】
【００１１】
本発明の更なる形態では、請求項１〜４のいずれか１つに記載の集塵装置を有する作業工具が構成される。これにより集塵フード長さを、使用する先端工具の長さに応じて適正に定め、加工作業により生じた粉塵を効率的に集塵することが可能な集塵装置を備えた作業工具を提供することができる。
【発明の効果】
【００１２】
本発明によれば、作業工具に長さの異なる先端工具を付け替えて加工作業を遂行する場合に、作業工具に装着される先端工具の長さに対応できるように改良された集塵装置が提供されることとなった。
【図面の簡単な説明】
【００１３】
【図１】本発明の第１の実施形態に係る穴開け作業用の集塵装置が取付けられたハンマドリルの全体構成を示す一部に断面を含む側面図である。
【図２】穴開け作業用として構成された集塵装置の全体構成を示す断面図であり、集塵フードの最大伸長状態を示す。
【図３】図２のＡ−Ａ線断面図であり、集塵フードの縮小状態を示す。
【図４】図３の一部を拡大して示す拡大図である。
【図５】図３のＢ矢視図である。
【図６】図５のＣ−Ｃ線断面図である。
【図７】図５のＤ矢視図である。
【図８】第２の実施形態に係る穴開け作業用の集塵装置を示す断面図である。
【図９】図８のＥ−Ｅ線断面図である。
【図１０】集塵フードの取付状態を維持するためのロック機構を示す側面図である。
【図１１】図１０のＦ矢視図である。
【図１２】図１０のＧ矢視図である。
【図１３】第３の実施形態の穴開け作業用の集塵装置におけるロック機構を示す平面図である。
【図１４】図１３のＨ−Ｈ線断面図である。
【図１５】第４の実施形態に係る穴開け作業用の集塵装置を示す断面図である。
【図１６】図１５のＩ−Ｉ線断面図である。
【図１７】ロック機構を示す側面図である。
【図１８】図１７のＪ矢視図である。
【図１９】図１７のＫ矢視図である。
【図２０】図１７とは反対方向の側面図である。
【図２１】図２０のＬ−Ｌ線断面図である。
【図２２】第５の実施形態に係るハツリ作業用の集塵装置を示す断面図である。
【図２３】図２２のＭ−Ｍ線断面図である。
【発明を実施するための最良の形態】
【００１４】
（本発明の第１の実施形態）
以下、本発明の第１の実施形態に係る集塵装置につき、図１〜図７を参照しつつ説明する。本実施の形態は、作業工具の一例としての電動式のハンマドリルに適用した場合で説明する。図１にはハンマドリル１０１に補助ハンドルとしてのサイドグリップ２０１（便宜上、一部のみを示す）と共に集塵装置２１０が取付けられた状態が示される。主に図１を参照しつつハンマドリル１０１の構成を簡略に説明する。
【００１５】
ハンマドリル１０１は、概括的に見て、ハンマドリル１０１の外郭を形成する本体部１０３と、当該本体部１０３の先端領域（図示左側）にツールホルダ１９１を介して着脱自在に取付けられた長尺状のハンマビット１１９と、本体部１０３のハンマビット１１９の反対側に連接された使用者が握るメインハンドルとしてのハンドグリップ１０９とを主体として構成されている。本体部１０３は、本発明における「工具本体」に対応し、ハンマビット１１９は、本発明における「先端工具」に対応する。ハンマビット１１９は、ツールホルダ１９１のビット挿入孔内に挿入され、チャック１０８によりその長軸方向への相対的な往復動が可能に、かつその周方向への相対的な回動が規制された状態で保持される。なお説明の便宜上、ハンマビット１１９側を前、ハンドグリップ１０９側を後という。
【００１６】
本体部１０３は、駆動モータ（便宜上図示を省略する）を収容したモータハウジング１０６と、運動変換機構（便宜上図示を省略する）、打撃要素１９３および動力伝達機構（便宜上図示を省略する）を収容したクランクハウジング１０５と、クランクハウジング１０５の前方に連接される略円筒状のバレル１０７を主体として構成される。駆動モータの回転動力は、クランク機構を主体として構成される運動変換機構によって直線運動に適宜変換された上で打撃要素１９３に伝達され、当該打撃要素１９３を介してハンマビット１１９の長軸方向（図１における左右方向）への衝撃力を発生する。また、駆動モータの回転動力は、複数のギアを主体として構成される動力伝達機構によって適宜減速された上で最終軸としてのツールホルダ１９１を介してハンマビット１１９に伝達され、当該ハンマビット１１９が周方向に回転動作される。なお、駆動モータはハンドグリップ１０９に配置されたトリガ１０９ａを作業者が引き操作することによって通電駆動される。
【００１７】
打撃要素１９３は、クランク機構のピストンとともにシリンダ１９２のボア内壁に摺動自在に配置された打撃子としてのストライカ１９４と、ツールホルダ１９１に摺動自在に配置された中間子としてのインパクトボルト１９５とを主体として構成される。ストライカ１９４は、ピストンの摺動動作に伴うシリンダ１９２の空気室の空気バネ（圧力変動）を介して直線状に駆動され、インパクトボルト１９５に衝突（打撃）し、当該インパクトボルト１９５を介してハンマビット１１９に打撃力を伝達する。
【００１８】
なお、ハンマドリル１０１は、作業者の操作により、少なくともハンマビット１１９に対し長軸方向への打撃力のみを加えて被加工材にハツリ作業を行うハンマモードと、長軸方向への打撃力と周方向への回転力とを加えて被加工材に穴開け作業を行うハンマドリルモードとの間で切替可能とされるが、このことについては周知の技術であり、かつまた本発明には直接的には関係しないため、その説明を省略する。
【００１９】
次に上記のように構成されたハンマドリル１０１に取付けられ、被加工材（例えば、コンクリート）に対する加工作業時に発生する粉塵を吸引して集塵する集塵装置２１０につき、図２〜図７を参照しつつ説明する。本実施形態の集塵装置２１０は、ハンマドリル１０１のバレル１０７にサイドグリップ２０１と共に着脱自在に取付けられるダストカバーとしての合成樹脂製の筒状取付部２１１と、当該筒状取付部２１１の先端に着脱自在に取付けられ、長軸方向長さが変化する伸縮式の穴開け作業用の集塵フード２２１（図２及び図３参照）とを主体として構成される。筒状取付部２１１は、本発明における「固定部」に対応し、穴開け作業用の集塵フード２２１は、本発明における「集塵フード」に対応する。
【００２０】
筒状取付部２１１は、図２及び図３に示すように、長軸方向の両端が開口されたハンマビット長軸方向に延在する略円筒形状の筒状部材であり、穴開け作業用の集塵フード２２１が取付可能な先端側（前側）が小径筒部２１１ａとされ、その反対側（後側）が大径筒部２１１ｂとされる。大径筒部２１１ｂの後方領域（図２及び図３の右側）には、更に延長筒部２１１ｃが連接されている。延長筒部２１１ｃは、軸方向に延在され、かつ後端が開放された複数のスリット（便宜上図示を省略する）によって周方向において複数に分割され、これにより径方向の弾性撓みが許容されている。
【００２１】
筒状取付部２１１は、バレル１０７の先端部に対し前方（図示左側）から後方へと被せた状態で延長筒部２１１ｃを当該バレル１０７に装着されるサイドグリップ２０１の取付バンド２０３によって固定することで取付けられる。サイドグリップ２０１の取付バンド２０３は、バレル１０７に形成されたグリップ装着部１０７ａの外面に巻き付くように配置され、図示省略のネジ構造を用いて締め付けられ、あるいは緩められる構成とされている。すなわち、集塵装置２１０は、筒状取付部２１１の延長筒部２１１ｃを取付バンド２０３によって締め付けられることで本体部１０３におけるバレル１０７のグリップ装着部１０７ａに対してサイドグリップ２０１と共に固定されるように構成されている。
【００２２】
また、筒状取付部２１１の小径筒部２１１ａには、当該筒状取付部２１１に取付けられる集塵フード２２１の内部空間２２２と連通するホース接続口２１３（図１及び図２参照）が形成され、当該ホース接続口２１３は、小径筒部２１１ａの外側下面から斜め後方へ突出状に設けられ、便宜上図示を省略する外部の集塵機との接続に用いられる集塵ホース２１５が接続される。集塵ホース２１５は、加工作業時に作業の邪魔にならないように、モータハウジング１０６に結束バンド２１７によって結わえられている（図１参照）。集塵ホース２１５は、少なくとも加工作業の遂行時には、その他端部が集塵機（便宜上、図示を省略する）に対し直接に接続、または集塵機側のホースに接続される。なお、集塵ホース２１５は、ハンマドリル１０１とは別に設けられる集塵機に接続される態様に限られない。例えば、ハンマドリル１０１がモータおよび当該モータで駆動される集塵ファンによって構成される吸引源を備えている場合、あるいは集塵装置自体がモータおよび当該モータで駆動される集塵ファンによって構成される吸引源を備えている場合であれば、集塵ホース２１５の他端部は、それら吸引源に接続される。また、小径筒部２１１ａには、ホース接続口２１３の後方にゴムシール２１９が取付けられている。ゴムシール２１９は、小径筒部２１１ａの内周面とハンマビット１１９の外周面との隙間を閉塞する部材として備えられる。
【００２３】
次に穴開け作業時に用いられる集塵フード２２１について説明する。穴開け作業用の集塵フード２２１は、図２及び図３に示すように、ハンマビット１１９を覆うとともに、長軸方向に伸縮自在な蛇腹からなるビット被覆部２２３を主体として構成されており、当該ビット被覆部２２３の前端および後端がリング状の開口部２２５とされている。蛇腹によって構成されるビット被覆部２２３は、ゴム製または合成樹脂製であり、長軸方向への弾性変形によって伸縮が可能とされた領域として備えられ、本発明における「弾性領域」に対応する。上記のように構成された集塵フード２２１は、ビット被覆部２２３の後方の開口部２２５を前述の筒状取付部２１１の小径筒部２１１ａに外側から嵌合することで当該筒状取付部２１１に取付けられる。
【００２４】
筒状取付部２１１に取付けられた集塵フード２２１は、ビット被覆部２２３を構成する蛇腹構造のうち小径筒部２１１ａに嵌合された開口部２２５と連なる側の山折りと谷折りの幾つかの折返し部の弾性変形による伸縮によって本体部１０３からの突出長さを変える（調整する）ことが可能とされている。図２には全ての折返し部が伸長された最大伸長状態（軸方向に外力を作用させていない自由状態）が示され、図３には軸方向に外力を加えて幾つかの折返し部を縮小させた縮小状態が示される。すなわち、本実施の形態では、ビット被覆部２２３における蛇腹状折返し部を伸縮させることで、本体部１０３からの集塵フード２２１の突出長さを調整することが可能とされている。このため、集塵フード２２１の長さを、加工作業に使用するハンマビット１１９の長さに対応することができる。
【００２５】
筒状取付部２１１には、筒状取付部２１１に対する集塵フード２２１の取付状態を維持する、すなわち集塵フード２２１につき、本体部１０３からの突出長さを調整した位置にロックするロック機構２５１が設けられている。ロック機構２５１は本発明における「ロック機構」に対応する。ロック機構２５１は、ビット被覆部２２３における蛇腹の谷部２２３ａに対し外側から径方向に係合して集塵フード２２１の本体部１０３からの突出長さを変更した状態を維持するフック部材２５３と、蛇腹の谷部２２３ａに対するフック部材２５３の係合状態を保持する保持部材２５９とを主体として構成される。
【００２６】
フック部材２５３は、図４〜図７に示すように、略円形の筒状部材を軸線に沿って２分割した左右の半割状フック構成部材２５３Ｌ，２５３Ｒによって構成され、当該左右の半割状フック構成部材２５３Ｌ，２５３Ｒの軸方向の一端（前端）には、周方向に概ね全周に渡って内径方向に突出するフック部２５４が形成され、軸方向の他端側には、周方向の略中央部から後方に向けて軸方向に水平状に突出する突部２５５が形成されている。左右の半割状フック構成部材２５３Ｌ，２５３Ｒは、集塵フード２２１の後側の開口部２２５及びこれに連なる筒状取付部２１１の小径筒部２１１ａ及びビット被覆部２２３の後方領域を外側から覆うように対向状に配置される。当該配置状態において、左右の半割状フック構成部材２５３Ｌ，２５３Ｒに形成された突部２５５の突出端部２５５ａが、図４及び図５に示すように、筒状取付部２１１の小径筒部２１１ａと大径筒部２１１ｂとの連接領域に形成された開口を通して筒内部へと挿入されるとともに、筒部内面に形成された曲面状の外面を有する突状支持部２５７によって回動自在に支持されている。すなわち、左右の半割状フック構成部材２５３Ｌ，２５３Ｒは、筒状取付部２１１の突状支持部２５７を支点としてハンマビット１１９の長軸方向と交差する方向（径方向）に回動され、これによりフック部２５４側が左右に開閉するように筒状取付部２１１に取付けられている。突部２５５は、突状支持部２５７との係合面（接触面）が凹状曲面によって形成されており、これにより回動動作の円滑化が図られている。
【００２７】
フック部材２５３は、左右の半割状フック構成部材２５３Ｌ，２５３Ｒが内径方向へと回動され、互いに突き合わされた状態、すなわち閉じた状態では略円形の筒状部材を形成し、この状態では、フック部２５４が集塵フード２２１の谷部２２３ａの１つに外側から係合し、筒状取付部２１１に対する取付状態を維持する。一方、左右の半割状フック構成部材２５３Ｌ，２５３Ｒが外径方向へと回動されて開き状態とされたとき（図４の二点鎖線参照）には、ビット被覆部２２３の谷部２２３ａに対するフック部２５４の係合が解除され、当該解除状態においては、集塵フード２２１の本体部１０３からのハンマビット長軸方向の突出長さが調整可能とされる。
【００２８】
また、左右の半割状フック構成部材２５３Ｌ，２５３Ｒは、付勢部材としてのコイルスプリング２５６によって常時に開き方向（谷部２２３ａに対するフック部２５４の係合解除方向）へと付勢されている。コイルスプリング２５６は、図４に示すように、突部２５５の内面と小径筒部２１１ａの外面との間に介在状に配置され、半割状フック構成部材２５３Ｌ，２５３Ｒが外向きに回動するよう付勢している。
【００２９】
保持部材２５９は、図６に示すように、半円よりもやや大きい弧、すなわち優弧状のリング状部材として構成され、周方向一端が一方の半割状フック構成部材２５３Ｌ，２５３Ｒに支軸２６１によってハンマビット１１９の長軸線と平行な軸線回りに回動自在に取付けられている。保持部材２５９は、左右の半割状フック構成部材２５３Ｌ，２５３Ｒがコイルスプリング２５６の付勢力に抗して閉じられた状態、すなわちフック部２５４がビット被覆部２２３の任意の谷部２２３ａの１つに係合した係合状態において、支軸２６１回りに回動して左右の半割状フック構成部材２５３Ｌ，２５３Ｒの両方に跨って外側から嵌り込む（抱え込む）ことで、当該左右の半割状フック構成部材２５３Ｌ，２５３Ｒの閉じ状態を保持する。保持部材２５９は、リング径を広げる方向に弾性変形させつつ左右の半割状フック構成部材２５３Ｌ，２５３Ｒに嵌め込むことができ、当該嵌合後には弾性復帰してコイルスプリング２５６の付勢力に抗して左右の半割状フック構成部材２５３Ｌ，２５３Ｒの閉じ状態を保持する。
【００３０】
保持部材２５９の周方向他端部には解除用の摘み部２６３（図５及び図６参照）が設けられ、左右の半割状フック構成部材２５３Ｌ，２５３Ｒに嵌合された状態において、作業者が摘み部２６３に指先を掛けて外径方向（図６の左方向）に引くことで保持部材２５９のリング径を広げる方向に変形させつつ回動操作することを可能としている。これにより、保持部材２５９の保持解除作用を容易に行うことができる。また、保持部材２５９は、左右の半割状フック構成部材２５３Ｌ，２５３Ｒの外面に形成された周方向に延在する環状溝２５３ａに嵌合する構成とされ、嵌合状態ではその外面が左右の半割状フック構成部材２５３Ｌ，２５３Ｒの外面と面一となるよう設定されている（図４参照）。
【００３１】
本実施の形態に係る集塵装置２１０は、上記のように構成されている。集塵フード２２１は、図２及び図３に示すように、穴開け作業に用いられるハンマビット（ドリル）１１９のビット先端１１９ａをも含めた全体を覆うように取付けられた状態で使用される。すなわち、ハンマドリル１０１の穴開け作業は、集塵フード２２１の先端が被加工材の表面に押し当てられた状態で行われ、そして穴開け作業時に発生した粉塵が、集塵フード２２１の先端開口を吸引口として集塵フード２２１の集塵通路としての内部空間２２２内に吸引されるとともに、当該内部空間２２２から筒状取付部２１１のホース接続口２１３、集塵ホース２１５を経て集塵機に集塵される。蛇腹によって構成されるビット被覆部２２３は、ハンマビット１１９による穴の掘り進みに伴い被加工材によって先端部を押されて順次縮小し、これにより集塵効果を維持することができる。
【００３２】
穴開け作業を遂行する場合において、作業状況によって種々の長さが異なるハンマビット１１９が用いられる。本実施の形態によれば、例えば長尺タイプのハンマビット１１９を用いる場合には、図２に示すように、集塵フード２２１につき、ビット被覆部２２３の蛇腹の折返し部の全体を伸長させることにより、ハンマビット１１９のビット先端１１９ａを覆うような長さに調整することができる。一方、短尺タイプのハンマビット１１９を用いる場合には、図３に示すように、集塵フード２２１につき、筒状取付部２１１の小径筒部２１１ａ側の蛇腹の折返し部の幾つかを縮小させることにより、ハンマビット１１９のビット先端１１９ａを覆うような長さに調整することができる。すなわち、本実施の形態によれば、穴開け作業に用いられる集塵装置２１０において、集塵能力を落とすことなく、長さの異なるハンマビット１１９の長さに対応可能となる。
【００３３】
本実施の形態では、集塵フード２２１の本体部１０３からの突出長さをハンマビット１１９の長さに対応するように調整後、ビット被覆部２２３を構成する蛇腹の谷部２２３ａのうち選択された任意の谷部２２３ａの１つにフック部材２５３のフック部２５４を係合させることで、筒状取付部２１１に対する集塵フード２２１の取付状態を維持する構成としている。すなわち、本実施の形態によれば、蛇腹の谷部２２３ａのうち任意の谷部２２３ａを選択してフック部材２５３のフック部２５４を係合することにより、集塵フード２２１を筒状取付部２１１に対して長さが調整された取付位置にしっかりと固定することができる。ビット被覆部２２３を構成する蛇腹の谷部２２３ａは、本発明における「複数の取付箇所」に対応する。
【００３４】
本実施の形態によれば、フック部２５４が係合する谷部２２３ａにつき、蛇腹の弾性変形を利用して選択できる構成としている。このため、谷部２２３ａの変更を容易に行うことができる。また、本実施の形態では、フック部材２５３を対向状に配置される左右一対の半割状フック構成部材２５３Ｌ，２５３Ｒによって構成し、蛇腹を全周にわたって保持する構成としている。このため、集塵フード２２１をハンマビット１１９の長軸線に対し傾きのない概ね平行状態に固定することができ、またフック部２５４を谷部２２３ａに係合する際、対向する左右の半割状フック構成部材２５３Ｌ，２５３Ｒを手指によって対向状に押圧操作できるので、操作し易い。
【００３５】
また、左右の半割状フック構成部材２５３Ｌ，２５３Ｒを略半リング状の保持部材２５９によって外側から抱え込むように保持する構成のため、左右の半割状フック構成部材２５３Ｌ，２５３Ｒを係合位置にしっかりと保持することができる。また、左右の半割状フック構成部材２５３Ｌ，２５３Ｒは、常時にはコイルスプリング２５６によって蛇腹の谷部２２３ａに対する係合を解除する方向に付勢されている。このため、半割状フック構成部材２５３Ｌ，２５３Ｒの保持部材２５９による抱え込みを解除すれば、半割状フック構成部材２５３Ｌ，２５３Ｒが蛇腹の谷部２２３ａから離間された解除位置（開き位置）に移動され、当該解除状態が保持されることになるので、集塵フード２２１の伸縮操作がやり易い。
【００３６】
また、本実施の形態では、筒状取付部２１１の内部に設けた突状支持部２５７の外面を曲面状となし、この突状支持部２５７に対し、左右の半割状フック構成部材２５３Ｌ，２５３Ｒに設けた突部２５５の突出端部２５５ａの凹状曲面を係合させる構成としている。このため、左右の半割状フック構成部材２５３Ｌ，２５３Ｒの回動構造を簡素化できるとともに、円滑な回動動作を得ることができる。
【００３７】
（本発明の第２の実施形態）
次に本発明の第２の実施形態につき、図８〜図１２を参照しつつ説明する。この実施形態は、前述した第１の実施形態で説明した筒状取付部２１１に対する集塵フード２２１の取付状態を維持するロック機構に関する変形例であり、これ以外の、例えば集塵フード２２１の本体部１０３からの突出長さにつき、ビット被覆部２２３を構成する蛇腹の弾性変形による伸縮を利用して調整できる構成等については、第１の実施形態と同一とされる。従って、第１の実施形態と同一の構成部材については、同一符号を付してその説明を省略又は簡略にする。
【００３８】
本実施の形態に係るロック機構２７１は、図１０〜図１２に示すように、半円の一部が開口された半円よりも大きい弧、すなわち優弧状の略半円筒状部材として形成されたフック部材２７３を主体として構成される。フック部材２７３の長軸方向の一端側（前端側）には、集塵フード２２１のビット被覆部２２３を構成する蛇腹の谷部２２３ａと係合可能なフック部２７４が、周方向の全体に渡って内径方向に突出状に形成されている。また、フック部材２７３の軸方向の他端側（後端側）には、周方向の略中央部において後方に向けて突出されるとともに、外面が凹状曲面とされた突部２７５が形成されている。
【００３９】
フック部材２７３は、図８及び図９に示すように、開口部分を下側にして筒状取付部２１１の小径筒部２１１ａに上方から被さるように配置されるとともに、フック部材２７３の突部２７５が筒状取付部２１１に形成された開口を通して筒部内面に挿入される。そして、突部２７５の凹状曲面が、筒状取付部２１１の筒部内面に形成された突状支持部２５７の曲面状の外面に回動自在に係合される。これによりフック部材２７３は、筒状取付部２１１に対し突状支持部２５７を支点としてハンマビット１１９の長軸方向と交差する上下方向（径方向）に回動自在（開閉自在）に取付けられる。
【００４０】
筒状取付部２１１に取付けられたフック部材２７３は、突状支持部２５７を支点としてビット被覆部２２３に近接する閉じ方向（内方）へと回動させることによって、フック部２７４を蛇腹の谷部２２３ａの１つと係合させることが可能となる。フック部材２７３は、後部領域（突部側）２７３ａが前部領域（フック部側）２７３ｂよりも弧の長さが長い優弧状に設定されており、当該後部領域２７３ａの内面に周方向の全体に渡って内径方向に突出する内側突条部２７６が形成されている。内側突条部２７６の内径は、小径筒部２１１ａの外径と等しいかやや大き目に定められている。
【００４１】
従って、突状支持部２５７を支点としてフック部材２７３を閉じ方向へ回動させたとき、内側突条部２７６の開口側端部が小径筒部２１１ａの外面に当接することで外側に押し広げられる。すなわち、フック部材２７３は、開口側を径方向外側に拡開しつつ小径筒部２１１に被さり、と同時にフック部２７４が蛇腹の対応する谷部２２３ａに係合される。これにより筒状取付部２１１に対する集塵フード２２１の取付状態が維持される。フック部材２７３のフック部２７４が蛇腹の谷部２２３ａに係合された状態では、図８及び図９に示すように、当該フック部材２７３の内側突条部２７６の前面が、小径筒部２１１ａの外面に突設された周方向に延在する外側突部２７８の後面に当接してフック部材２７３の前方への移動を規制する構成とされる。
【００４２】
またフック部材２７３は、付勢部材としてのコイルスプリング２７７によって常時に開き方向、すなわち外方（谷部２２３ａに対するフック部２７４の係合解除方向）へと付勢されている。コイルスプリング２７７は、図８に示すように、フック部材２７３の後部領域２７３ａの内面と小径筒部２１１ａの外面との間に介在状に配置され、フック部材２７３が外向きに回動するよう付勢している。
【００４３】
本実施形態のロック機構２７１は、上記のように略半円筒形状のフック部材２７３を筒状取付部２１１に対し突状支持部２５７を支点としてハンマビット１１９の長軸方向と交差する上下方向（径方向）に開閉自在に取付けた構成としている。従って、集塵フード２２１の本体部１０３からの突出長さを、使用するハンマビット１１９の長さに対応するように調整した状態において、フック部材２７３を閉じ方向へと回動させ、当該フック部材２７３のフック部２７４を、ビット被覆部２２３を構成する蛇腹の谷部２２３ａのうち任意の谷部２２３ａの１つに係合させることで、前述した第１の実施形態の場合と同様に、筒状取付部２１１に対する集塵フード２２１の取付状態をしっかりと維持することができる。
【００４４】
また、本実施の形態によれば、フック部材２７３につき、優弧状の略半円筒状部材によって構成し、当該フック部材２７３の径方向への弾性変形を利用して蛇腹の谷部２２３ａにフック部２７４を係合及び解除させるようにしている。このため、フック部２７４の谷部２２３ａに対する係合状態を他の部材を用いて保持する必要がなく、部品点数の削減が可能となる。
【００４５】
（本発明の第３の実施形態）
次に本発明の第３の実施形態につき、図１３及び図１４を参照しつつ説明する。この実施形態は、前述した第１の実施形態における筒状取付部２１１に対する集塵フード２２１の取付状態を維持するロック機構の変形例であり、第１の実施形態において半円よりもやや大きい優弧状のリング状部材として構成された保持部材２５９を、リング状の平たいゴムバンド２７９によって構成した点、及びコイルスプリング２５６を省略した点で第１の実施形態のロック機構２５１と相違し、それ以外の構成については、第１の実施形態のロック機構２５１と同様に構成されている。従って、第１の実施形態と同一の構成部材については、同一符号を付してその説明を省略又は簡略にする。
【００４６】
ゴムバンド２７９は、左右の半割状フック構成部材２５３Ｌ，２５３Ｒのフック部２５４の近傍において、当該左右の半割状フック構成部材２５３Ｌ，２５３Ｒの外周面に形成された環状溝部２８０に弾発状に嵌合するように構成されている。これによって、左右の半割状フック構成部材２５３Ｌ，２５３Ｒを、そのフック部２５４が蛇腹の谷部２２３ａに係合する閉じ位置に保持することができる。なお、集塵フード２２１の本体部１０３からの突出長さの調整は、ゴムバンド２７９を半割状フック構成部材２５３Ｌ，２５３Ｒから取り外した状態で行うことができる。
【００４７】
本実施の形態によれば、半割状フック構成部材２５３Ｌ，２５３Ｒを閉じ位置に保持する保持部材をゴムバンド２７９で構成したので、構造が簡単でかつコストを低減できる。
【００４８】
（本発明の第４の実施形態）
次に本発明の第４の実施形態につき、図１５〜図２１を参照しつつ説明する。この実施形態は、前述した第１の実施形態における筒状取付部２１１に対する集塵フード２２１の取付状態を維持するロック機構に関する変形例であり、それ以外の構成、例えば集塵フード２２１の本体部１０３からの突出長さにつき、ビット被覆部２２３を構成する蛇腹の弾性変形による伸縮を利用して調整できる構成等については、第１の実施形態と同一とされる。従って、第１の実施形態と同一の構成部材については、同一符号を付してその説明を省略又は簡略にする。
【００４９】
この実施形態のロック機構２８１は、略半円筒状部材として形成されたフック部材２８３を主体として構成される。フック部材２８３の長軸方向の一端側（前端側）には、集塵フード２２１のビット被覆部２２３を構成する蛇腹の谷部２２３ａと係合可能なフック部２８４が、周方向の全体に渡って内径方向に突出状に形成されている。フック部材２８３は、軸方向の他端側（後端側）において、周方向の一端部が筒状取付部２１１の小径筒部２１１ａに対し支軸２８５によりハンマビット１１９の長軸線と平行な軸線回りに回動自在（開閉自在）に取付けられ、当該支軸２８５を支点として筒状取付部２１１に近接する方向の閉じ位置へと回動することでフック部２８４が蛇腹の谷部２２３ａに係合し、離間する方向の開き位置へと回動することで谷部２２３ａに対するフック部２８４の係合が解除される構成とされる。
【００５０】
また、フック部材２８３の軸方向他端側において、周方向の他端部（軸線を挟んで支軸２８５の反対側）には、径方向外側に突出する係合解除用摘み２８６が形成されるとともに、当該係合解除用摘み２８６の内面側には、係止突部２８７が形成されている。係止突部２８７は、小径筒部２１１ａに接近する方向へと回動されたフック部材２８３が閉じ位置に置かれたときに、筒状取付部２１１の小径筒部２１１ａの外面に形成された山形状の保持用突起２８８を当該フック部材２８３の弾性変形を利用して乗り越え、当該保持用突起２８８に係止する構成とされる（図２１参照）。これにより、フック部材２８３は、フック部２５４が蛇腹の谷部２２３ａに係合した閉じ位置に保持される。
【００５１】
本実施形態のロック機構２８１は、上記のように、略半円筒形状のフック部材２８３をハンマビット１１９の軸線と平行な軸線回りに回動し、フック部２８４が蛇腹の谷部２２３ａに係合する閉じ位置と、係合が解除される開き位置との間で移動する構成としたものである。そして、閉じ位置に置かれた状態では、フック部材２８３の係止突部２８７が小径筒部２１１ａの保持用突起２８８を乗り越えて係止することによって、フック部２８４が蛇腹の谷部２２３ａに係合した状態に保持される。このため、前述した第１の実施形態の場合と同様に、筒状取付部２１１に対する集塵フード２２１の取付状態をしっかりと維持することができる。
【００５２】
なお、蛇腹の谷部２２３ａに対するフック部２８４の係合解除については、係合解除用摘み２８６に指先を掛けて外径方向（図２１の右方向）へ引いて小径筒部２１１ａの保持用突部２８７に対する係止突起２８８の係止を解除後、フック部材２８３を開き位置へと回動させることで行うことができる。
【００５３】
また、本実施の形態では、フック部材２８３のフック部２８４が蛇腹の谷部２２３ａに係合した状態を保持する手段としての係止突部２８７を、当該フック部材２８３に一体に設けているため、部品点数が少なくて済み、構造が簡単でかつコストが低減する。
【００５４】
（本発明の第５の実施形態）
次に本発明の第５の実施形態に係る集塵装置２１０につき、図２２及び図２３を参照しつつ説明する。本実施形態の集塵装置２１０は、ハンマビット１１９がハンマ動作のみを行うハンマモードでハンマドリル１０１を駆動する場合に使用されるハツリ作業に適用したものであり、集塵装置２１０を構成する構成要素のうち、ハンマビット１１９を覆う集塵フード２９１の構成が、前述した第１の実施形態の集塵装置２１０の集塵フード２２１と相違する。すなわち、筒状取付部２１１の構成、筒状取付部２１１の本体部１０３に対する取付構造、当該筒状取付部２１１に対する集塵フード２９１の取付状態を維持するためのロック機構２５１の構成等については、第１の実施形態の集塵装置２１０と同様に構成されている。従って、第１の実施形態と同一の構成部材については、同一符号を付してその説明を省略又は簡略にする。
【００５５】
ハツリ作業用の集塵フード２９１は、筒状取付部２１１の先端に取付けられた状態において、当該集塵フード２９１の先端からハツリ作業用のハンマビット（チゼル）１１９のビット先端１１９ａが所定長さ（視認性が確保可能な程度）で突出するための長軸方向長さを有するとともに、前後両端が開口されたゴム製または合成樹脂製の円筒状部材として形成されており、長軸方向長さが変化しない剛体によって形成され、常時に一定長さに維持される構成である。ハツリ作業用の集塵フード２９１は、本発明における「集塵フード」に対応する。
【００５６】
集塵フード２９１の前後の開口端部のうちの後側の開口端部２９４が、筒状取付部２１１の先端領域としての小径筒部２１１ａに対して外側から被さるように嵌合されるとともに、長軸方向に摺動自在とされている。これにより集塵フード２９１は、本体部１０３からの突出長さを変える（調整する）ことが可能とされている。図２２には集塵フード２９１が小径筒部２１１ａの最も後側（本体部１０３側）へと移動（スライド）され、短尺タイプのハンマビット１１９に対応させた状態が示され、図２３には前側（先端側）へと移動され、長尺タイプのハンマビット１１９に対応させた状態が示される。すなわち、本実施の形態によれば、小径筒部２１１ａに対し集塵フード２９１を摺動させて長軸方向位置を変えることにより、本体部１０３からの集塵フード２９１の突出長さを調整し、集塵フード２２１の長さをハンマ作業に使用するハンマビット１１９の長さに対応させることができる。
【００５７】
集塵フード２９１の後側の開口端部２９４の外面には、長軸方向に所定の間隔を置いて前側にはリング状の係止部２９５が形成され、後側にはリング状の係止溝２９６が形成されている。そして、集塵フード２９１が最も後側へと移動された状態では、図２２に示すように、当該集塵フード２９１の後端が小径筒部２１１ａと大径筒部２１１ｂとの連接領域におけるハンマビット１１９の長軸方向と交差する方向の前壁面２９７に当接し、この状態でロック機構２５１のフック部材２５３のフック部２５４が係止部２９５の前面に係合することによって筒状取付部２１１に対する集塵フード２９１の長軸方向（前後方向）への移動が規制される構成とされる。また、集塵フード２９１が前側（先端側）へと移動された状態では、図２３に示すように、フック部材２５３のフック部２５４が係止溝２９６に係合することによって筒状取付部２１１に対する集塵フード２９１の長軸方向（前後方向）への移動が規制される構成とされる。すなわち、フック部材２５３のフック部２５４が係止部２９５又は係止溝２９６に係合することによって筒状取付部２１１に対する集塵フード２９１の取付状態を維持する構成とされる。係止部２９５及び係止溝２９６は、本発明における「複数の取付箇所」に対応する。なお、本実施の形態では、この複数の取付箇所につき、前後２箇所の場合としているが、更に増設することが可能である。
【００５８】
本実施の形態に係る集塵装置２１０は、上記のように構成される。従って、ハツリ作業時において、当該ハツリ作業で発生した粉塵につき、集塵フード２９１の前側の開口端部から当該集塵フード２９１の集塵通路としての内部空間２２２内に吸引したのち、筒状取付部２１１のホース接続口２１３、集塵ホース２１５を経て外部の集塵機に集塵することができる。そして、本体部１０３に長さが異なるハンマビット１１９を付け替えてハツリ作業を行う場合には、上記のように、小径筒部２１１ａに対して集塵フード２９１を前方又は後方へと移動させて集塵フード２９１の本体部１０３からのハンマビット長軸方向の突出長さを調整することにより、ハンマビット１１９の長さに対応させることができる。また調整後は、フック部材２５３のフック部２５４を係止部２９５又は係止溝２９６に係合することによって集塵フード２９１を筒状取付部２１１にしっかりと固定することができる。
【００５９】
なお、本実施の形態では、集塵フード２９１を筒状取付部２１１に固定するためのロック機構２５１につき、第１の実施形態のロック機構２５１と同様に構成された場合で説明したが、第２、第３あるいは第４の実施形態において説明したロック機構２５１，２７１，２８１のいずれを採用しても構わない。
【００６０】
上述した各実施形態は、作業工具の一例としてハンマドリル１０１の場合で説明したが、他の作業工具、例えばハンマビット１１９が長軸方向のハンマ動作のみを行なう電動ハンマ、あるいはハンマビット１１９が周方向の回転動作のみを行う電気ドリルに適用することが可能である。
【００６１】
上記発明の趣旨に鑑み、下記のごとき態様が構成可能である。
（態様１）
「先端工具が設けられる作業工具の工具本体に取付けられる固定部と、当該固定部に取付けられ、前記先端工具を長軸方向の所定範囲にわたって覆う集塵フードとを備えた集塵装置であって、
前記集塵フードは、前記固定部への取付箇所が前記先端工具の長軸方向上に複数設けられており、任意の取付箇所を選択することにより、先端工具長軸方向における前記工具本体からの集塵フードの突出長さが可変とされ、これにより吸塵能力を落とすことなく、異なる長さの先端工具に対応可能としたことを特徴とする集塵装置。」
【００６２】
（態様２）
「請求項２に記載の集塵装置であって、
前記複数の取付箇所は、前記弾性領域に設定されていることを特徴とする集塵装置。」
【００６３】
（態様３）
「請求項３に記載の集塵装置であって、
前記複数の取付箇所は、前記蛇腹の谷部によって形成されていることを特徴とする集塵装置。」
【００６４】
（態様４）
「請求項５に記載の集塵装置であって、
前記ロック機構は、前記集塵フードの外側に配置され、当該集塵フードに対し前記先端工具の長軸方向と交差する方向に接近することによって選択された取付箇所に係合し、離間することによって取付箇所に対する係合が解除されるフック部材を有することを特徴とする集塵装置。」
【００６５】
（態様５）
「態様４に記載の集塵装置であって、
前記フック部材は、前記集塵フードを挟んで対向状に配置された半円筒状の半割状フック構成部材によって構成されており、当該半割状フック構成部材が前記集塵フードの取付箇所に全周にわたって係合することにより当該集塵フードを保持する構成としたことを特徴とする集塵装置。」
【００６６】
（態様６）
「態様４に記載の集塵装置であって、
前記フック部材は、前記先端工具の長軸方向と交差する方向の軸線回りに回動自在に支持され、当該支持点回りに回動動作することにより前記集塵フードの取付箇所に対して係合及び係合が解除される構成としたことを特徴とする集塵装置。」
【００６７】
（態様７）
「態様４に記載の集塵装置であって、
前記フック部材は、前記先端工具の長軸方向と平行な軸線回りに回動自在に支持され、当該支持点回りに回動動作することにより前記集塵フードの取付箇所に対して係合及び係合が解除される構成としたことを特徴とする集塵装置。」
【符号の説明】
【００６８】
１０１  ハンマドリル（作業工具）
１０３  本体部（工具本体）
１０５  クランクハウジング
１０６  モータハウジング
１０７  バレル
１０７ａ  グリップ装着部
１０８  チャック
１０９  ハンドグリップ（メインハンドル）
１０９ａ  トリガ
１１９  ハンマビット（先端工具）
１１９ａ  ビット先端
１９１  ツールホルダ
１９２  シリンダ
１９３  打撃要素
１９４  ストライカ
１９５  インパクトボルト
２０１  サイドグリップ
２０３  取付バンド
２１０  集塵装置
２１１  筒状取付部（固定部）
２１１ａ  小径筒部
２１１ｂ  大径筒部
２１１ｃ  延長筒部
２１３  ホース接続口
２１５  集塵ホース
２１７  結束バンド
２１９  ゴムシール
２２１  穴開け作業用の集塵フード（集塵フード）
２２２  内部空間（集塵通路）
２２３  ビット被覆部
２２３ａ  谷部（取付箇所）
２２５  開口部
２５１  ロック機構
２５３  フック部材
２５３ａ  環状溝
２５３Ｌ，２５３Ｒ  半割状フック構成部材
２５４  フック部
２５５  突部
２５５ａ  突出端部
２５６  コイルスプリング（付勢部材）
２５７  突状支持部
２５９  保持部材
２６１  支軸
２６３  摘み部
２７１  ロック機構
２７３  フック部材
２７３ａ  後部領域
２７３ｂ  前部領域
２７４  フック部
２７５  突部
２７６  内側突条部
２７７  コイルスプリング（付勢部材）
２７８  外側突部
２７９  ゴムバンド
２８０  環状溝
２８１  ロック機構
２８３  フック部材
２８４  フック部
２８５  支軸
２８６  係合解除用摘み
２８７  係止突部
２８８  保持用突起
２９１  集塵フード
２９４  後側の開口端部
２９５  係止部
２９６  係止溝
２９７  前壁面
【図１】
0005537379.tif 000002
【図２】
0005537379.tif 000003
【図３】
0005537379.tif 000004
【図４】
0005537379.tif 000005
【図５】
0005537379.tif 000006
【図６】
0005537379.tif 000007
【図７】
0005537379.tif 000008
【図８】
0005537379.tif 000009
【図９】
0005537379.tif 000010
【図１０】
0005537379.tif 000011
【図１１】
0005537379.tif 000012
【図１２】
0005537379.tif 000013
【図１３】
0005537379.tif 000014
【図１４】
0005537379.tif 000015
【図１５】
0005537379.tif 000016
【図１６】
0005537379.tif 000017
【図１７】
0005537379.tif 000018
【図１８】
0005537379.tif 000019
【図１９】
0005537379.tif 000020
【図２０】
0005537379.tif 000021
【図２１】
0005537379.tif 000022
【図２２】
0005537379.tif 000023
【図２３】
0005537379.tif 000024